(57)【要約】【目的】  センター役物装置の最後部に取り付けられる液晶モジュールとタンクレールとの干渉を避け、遊技盤が装着することができるパチンコ機を提供する。【構成】  遊技盤４を遊技盤装着枠９に装着する際に、液晶制御基板ボックスの上辺がタンクレールと干渉するときには、液晶モジュールを上下逆にしてセンター役物装置の後側（最後部）に取り付けることにより、タンクレールが空き領域に収まる一方、液晶基板ボックスの上辺がタンクレールと干渉しないときには、液晶モジュールを上下逆にすることなく、そのままセンター役物装置に取り付ける。したがって、センター役物装置の後側（最後部）に取り付けられる液晶モジュールとタンクレールとの干渉を避け、遊技盤４を装着することができる。【選択図】        図２
2007175145.tif 000002
【特許請求の範囲】
【請求項１】
遊技盤装着枠部と、該遊技盤装着枠部の後側に設けられた機構装着枠部と、から構成される本体枠を備え、
前記遊技盤装着枠部は、遊技盤が着脱交換可能に装着され、その遊技盤には、区画形成された遊技領域の中央又は中央上側寄りにセンター役物装置が設けられ、該センター役物装置の後側に液晶モジュールが取り付けられ、
前記機構装着枠部は、上側に球タンクが装着され、球タンクから払出装置に向けて遊技球が転動するよう傾斜した状態で球タンクの下方にタンクレールが装着される、パチンコ機において、
前記液晶モジュールは、画像を表示する方形状の液晶表示器と、該液晶表示器の表示制御を行う液晶制御基板が収納された方形状の基板ボックスと、から構成され且つ該基板ボックスの大きさが前記液晶表示器の大きさより小さく構成され、その液晶モジュールには、前記液晶表示器の上辺と、前記基板ボックスの上辺と、が一致するように前記基板ボックスを前記液晶表示器の裏面に取り付けることにより、その裏面の下側に空き領域が設けられ、
前記遊技盤を前記遊技盤装着枠部に装着する際に、前記基板ボックスの上辺が前記タンクレールと干渉するときには、前記液晶モジュールを上下逆にして前記センター役物装置に取り付けることにより、前記タンクレールが前記空き領域に収まる一方、前記基板ボックスの上辺が前記タンクレールと干渉しないときには、前記液晶モジュールを上下逆にすることなく、そのまま前記センター役物装置に取り付けることを特徴とするパチンコ機。
【発明の詳細な説明】
【技術分野】
【０００１】
本発明は、上下逆に取付可能な液晶表示器を備えたパチンコ機に関するものである。
【背景技術】
【０００２】
液晶表示器の画面は、光学特性によって、上から見ると白っぽく、下から見ると黒っぽく見える。そこで、液晶表示器を上下逆に取り付け、映像の見栄えを変えたパチンコ機が提案されている（例えば、特許文献１）。
【０００３】
センター役物装置は、液晶表示器と、その液晶表示器の画面手前に球ステージと、が設けられている。近年のパチンコ機のセンター役物装置では、演出効果を高めるため、大画面の液晶表示器に加え、きらびやかに点灯又は階調点灯するランプの他、液晶表示器に繰り広げられる演出に合わせて可動する可動体を複数備えており、このようなセンター役物装置を備えるパチンコ機がホールの大半を占めている。
【特許文献１】特開２００３−２６０２２１号公報
【発明の開示】
【発明が解決しようとする課題】
【０００４】
ところで、センター役物装置に取り付けられる液晶表示器は、その背面に、液晶表示器を制御する液晶制御基板を備えてなる、モジュール構造のものが一般的であり、その液晶モジュールは、センター役物装置の最後部に取り付けられている。
【０００５】
センター役物装置の可動装置として、球ステージと液晶表示器との間に、可動体が可動する可動領域を設け、液晶表示器に繰り広げられる演出に合わせ、液晶表示器の画面手前にその可動体を出現できる、大仕掛けなものにしようとした場合は、その可動領域の分、センター役物装置の奥行きが大きくなる。ところが、パチンコ機は、ホールのパチンコ島に互いに背を向けた状態で列設されており、パチンコ機の奥行きが大きくなると、互いに干渉してパチンコ島に収まらなくなるために、奥行き方向が規制されている。そのため、奥行き方向にセンター役物装置が大きくなると、センター役物装置の他に、遊技盤に取り付けられる制御基板、例えば遊技の進行を制御する主制御基板を、液晶モジュールの後方に取り付けるためのスペースを確保することが難しくなる。
【０００６】
また、遊技盤に取り付けられるセンター役物装置の下方には、始動入賞装置、大入賞装置の組付け領域及び遊技球の転動領域を確保するため、できるだけ遊技盤の上よりにセンター役物装置を配置する必要がある。ところが、遊技盤が装着されるパチンコ機の枠裏側上方には、パチンコ島設備から供給される遊技球を受ける球タンクがあり、球タンクの下方には、払出装置に遊技球を導くタンクレールが設けられている。そのため、１２インチ、１５インチといった１０インチを超えるノートブックパソコンなみの大画面の液晶表示器をセンター役物装置に設ける場合には、センター役物装置の奥行きが大きいと、液晶モジュールがタンクレールに干渉してしまう虞がある。
【０００７】
本発明は、このような事情に鑑みてなされたものであり、その目的とするところは、大型化するセンター役物装置を備えるパチンコ機において、その最後部に取り付けられる液晶モジュールとタンクレールとの干渉を避け、遊技盤が装着することができるパチンコ機を提供することにある。
【課題を解決するための手段】
【０００８】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
【０００９】
（解決手段１）
遊技盤装着枠部と、該遊技盤装着枠部の後側に設けられた機構装着枠部と、から構成される本体枠を備え、前記遊技盤装着枠部は、遊技盤が着脱交換可能に装着され、その遊技盤には、区画形成された遊技領域の中央又は中央上側寄りにセンター役物装置が設けられ、該センター役物装置の後側に液晶モジュールが取り付けられ、前記機構装着枠部は、上側に球タンクが装着され、球タンクから払出装置に向けて遊技球が転動するよう傾斜した状態で球タンクの下方にタンクレールが装着される、パチンコ機において、前記液晶モジュールは、画像を表示する方形状の液晶表示器と、該液晶表示器の表示制御を行う液晶制御基板が収納された方形状の基板ボックスと、から構成され且つ該基板ボックスの大きさが前記液晶表示器の大きさより小さく構成され、その液晶モジュールには、前記液晶表示器の上辺と、前記基板ボックスの上辺と、が一致するように前記基板ボックスを前記液晶表示器の裏面に取り付けることにより、その裏面の下側に空き領域が設けられ、前記遊技盤を前記遊技盤装着枠部に装着する際に、前記基板ボックスの上辺が前記タンクレールと干渉するときには、前記液晶モジュールを上下逆にして前記センター役物装置に取り付けることにより、前記タンクレールが前記空き領域に収まる一方、前記基板ボックスの上辺が前記タンクレールと干渉しないときには、前記液晶モジュールを上下逆にすることなく、そのまま前記センター役物装置に取り付けることを特徴とするパチンコ機。
【００１０】
このパチンコ機では、遊技盤装着枠部と、この遊技盤装着枠部の後側に設けられた機構装着枠部と、から構成される本体枠を備えている。遊技盤装着枠部は、遊技盤が着脱交換可能に装着され、その遊技盤には、区画形成された遊技領域の中央又は中央上側寄りにセンター役物装置が設けられ、このセンター役物装置の後側（最後部）に液晶モジュールが取り付けられている。機構装着枠部は、上側に球タンクが装着され、この球タンクから払出装置に向けて遊技球が転動するよう傾斜した状態で球タンクの下方にタンクレールが装着されている。
【００１１】
液晶モジュールは、画像を表示する方形状の液晶表示器と、この液晶表示器の表示制御を行う液晶制御基板が収納された方形状の基板ボックスと、から構成されており、この基板ボックスの大きさが液晶表示器の大きさより小さく構成されている。液晶モジュールには、液晶表示器の上辺と、基板ボックスの上辺と、が一致するように基板ボックスを液晶表示器の裏面に取り付けることにより、その裏面の下側に空き領域が設けられている。
【００１２】
遊技盤を遊技盤装着枠部に装着する際に、基板ボックスの上辺がタンクレールと干渉するときには、液晶モジュールを上下逆にしてセンター役物装置の後側（最後部）に取り付けることにより、タンクレールが空き領域に収まる。一方、基板ボックスの上辺がタンクレールと干渉しないときには、液晶モジュールを上下逆にすることなく、そのままセンター役物装置に取り付ける。このように、センター役物装置の後側（最後部）に取り付けられる液晶モジュールとタンクレールとの干渉を避け、遊技盤を装着することができる。
【００１３】
本実施形態では、図２の遊技盤装着枠９が遊技盤装着枠部に相当し、図２の機構装着枠１０が機構装着枠部に相当し、図２の本体枠３が本体枠に相当し、図３の遊技盤４が遊技盤に相当し、図３の遊技領域１２が遊技領域に相当し、図８のセンター役物装置５４及び図１１のセンター役物装置５４’がセンター役物装置に相当し、図７の液晶モジュール１０９が液晶モジュールに相当し、図２の球タンク３９が球タンクに相当し、図４のタンクレール４１がタンクレールに相当し、図１のパチンコ機１がパチンコ機に相当し、横長四角形状が方形状に相当し、図７の液晶表示器１１０が液晶表示器に相当し、図７の液晶制御基板１１１が液晶制御基板に相当し、図７の液晶制御基板ボックス１１２が基板ボックスに相当し、図７の側辺１１２ｂの長さが液晶表示器１１０の側辺１１０ｂの長さより約６分の１小さくなるように構成されている、が該基板ボックスの大きさが前記液晶表示器の大きさより小さく構成され、に相当し、図７の液晶制御基板ボックス１１２の上辺１１２ａが液晶表示器１１０の上辺１１０ａと一致するように液晶表示器１１０の裏面に取り付けられている、が前記液晶表示器の上辺と、前記基板ボックスの上辺と、が一致するように前記基板ボックスを前記液晶表示器の裏面に取り付ける、に相当し、図７の空き領域Ａが空き領域に相当し、図７（ｂ）の上下逆姿勢が前記液晶モジュールを上下逆にして、に相当し、図７（ａ）の基本姿勢が前記液晶モジュールを上下逆にすることなく、そのまま、に相当する。
【発明の効果】
【００１４】
本発明のパチンコ機においては、センター役物装置の後側（最後部）に取り付けられる液晶モジュールとタンクレールとの干渉を避け、遊技盤を装着することができる。
【発明を実施するための最良の形態】
【００１５】
次に、本発明の好適な実施形態について図面に基づいて説明する。まず、パチンコ機について説明する。図１はパチンコ機を示す正面図であり、図２は本体枠及び前面枠を開放した状態のパチンコ機を示す斜視図であり、図３は本体枠と遊技盤とを分離した状態を示す斜視図である。
［１．パチンコ機の構成］
【００１６】
パチンコ機１は、図１及び図２に示すように、外枠２、本体枠３、遊技盤４、前面枠５等を備えて構成されている。外枠２は、上下左右の枠材によって縦長四角形の枠状に形成され、外枠２の前側下部には、本体枠３の下面を受ける下受板６を有している。外枠２の前面一側には、ヒンジ機構７によって本体枠３が前方に開閉可能に装着されている。また、本体枠３は、前枠体８、遊技盤装着枠９及び機構装着枠１０を合成樹脂材によって、一体成形することで構成されている。本体枠３の前側に形成された前枠体８は、外枠２前側の下受板６を除く外郭形状に対応する大きさの矩形枠状に形成されている。なお、遊盤装着枠９及び機構装着枠１０を一体成形することなくそれぞれ別体として本体枠３に取り付けてもよい。
【００１７】
前枠体８の後部に一体的に形成された遊技盤装着枠９には、遊技盤４が前方から着脱交換可能に装着されるようになっている。遊技盤４の盤面（前面）には、外レールと内レールとを備えた案内レール１１が設けられ、この案内レール１１の内側には、遊技領域１２が区画形成されている。
【００１８】
この遊技領域１２の中央又は中央上側寄りには、後述するセンター役物装置が設けられている。このセンター役物装置には、演出効果を高めるさまざまな工夫が施されており、液晶表示器に加え、点灯又は階調点灯するランプの他、液晶表示器で繰り広げられる演出に合わせて可動する可動体を備えている。なお、液晶表示器は、後述するように、液晶表示器を制御する液晶制御基板等とモジュール化されており、この液晶モジュールは、センター役物装置の後側（最後部）に取り付けられている。
【００１９】
遊技盤４の裏面の下側には、各種入賞口装置に流入した遊技球を受け入れて所定位置まで導く機能と、各種制御ボックスを装着する機能と、を兼ね備えたボックス装着台３８が設けられている（図３参照）。このボックス装着台３８には、音声、ランプ及び可動体等の各種制御を行うサブ統合基板１００が収納されたサブ統合基板ボックス１０１が装着され、そのサブ統合基板ボックス１０１の後部に重ね合わされた状態で、遊技の進行を制御する主制御基板１０２が収納された主制御基板ボックス１０３が装着されている。なお、ボックス装着台３８は遊技盤４の外郭より外側にはみ出さないように取り付けられている。また、サブ統合基板ボックス１０１及び主制御基板ボックス１０３がボックス装着台３８に装着された状態では、サブ統合基板ボックス１０１及び主制御基板ボックス１０３が遊技盤４の外郭より外側にはみ出さないように配置されている。
【００２０】
遊技盤装着枠９の後部に一体成形された機構装着枠１０には、図示しないパチンコ島設備から供給される遊技球を受ける球タンク３９と、遊技球の払い出しを行う払出装置４０と、球タンク３９から払出装置４０に向けて遊技機を導く後述するタンクレールと、が装着されている（図２及び図３参照）。球タンク３９は機構装着枠１０の上側に装着され、払出装置１０４は機構装着枠１０の片側寄りに装着され、タンクレールは後述するように球タンク３９の下方に装着されている。
【００２１】
遊技盤装着枠９よりも下方に位置する前枠体８の前側下部の一側寄りには、スピーカ装着板１３を介して低音用スピーカ１４が装着されている。また、前枠体８前面の下部領域内の上側部分には、遊技盤４の発射通路に向けて遊技球を導く発射レール１５が傾斜状に装着されている。一方、前枠体８前面の下部領域内の下側部分には、下前面部材１６が装着されている。下前面部材１６前面のほぼ中央には、下皿１７が設けられ、片側寄りには操作ハンドル１８が設けられている。
【００２２】
本体枠３（前枠体８）のヒンジ機構７が設けられる側とは反対側となる開放側の後面には、外枠２に対して本体枠３を施錠する機能と、本体枠３に対して前面枠５を施錠する機能とを兼ね備えた施錠装置１９が装着されている。施錠装置１９は、外枠２に設けられた閉止具２０に係脱可能に係合して本体枠３を閉鎖状態に施錠する上下複数の本体枠施錠フック２１と、前面枠５の開放側の後面に設けられた閉止具２２に係脱可能に係合して前面枠５を閉鎖状態に施錠する上下複数の扉施錠フック２３と、を備えている。そして、シリンダー錠２４の鍵穴に鍵が挿入されて一方向に回動操作されることで、本体枠施錠フック２１と外枠２の閉止具２０との係合が解除されて本体枠３が解錠され、これとは逆方向に鍵が回動操作されることで、扉施錠フック２３と前面枠５の閉止具２２との係合が解除されて前面枠５が解錠されるようになっている。なお、シリンダー錠２４の前端部は、パチンコ機１の前方から鍵を挿入して解錠操作が行えるように、前枠体８及び下前面部材１６を貫通して下前面部材１６の前面に露出して配置されている。
【００２３】
本体枠３前面の一側には、ヒンジ機構２５によって前面枠５が前方に開閉可能に装着されている。前面枠５は、扉本体フレーム２６、サイド装飾装置２７、上皿２８及び音響電飾装置２９を備えて構成されている。扉本体フレーム２６は、プレス加工された金属製フレーム部材によって構成され、前枠体８の上端から下前面部材１６の上縁に亘る部分を覆う大きさに形成されている。扉本体フレーム２６のほぼ中央には、遊技盤４の遊技領域１２を前方から透視可能なほぼ円形状の開口窓３０が形成されている。また、扉本体フレーム２６の後側には、開口窓３０よりも大きい矩形枠状をなす窓枠３１が設けられ、この窓枠３１には、透明板３２が装着されている。
【００２４】
扉本体フレーム２６の前側には、開口窓３０の周囲において、左右両側部にサイド装飾装置２７が、下部に上皿２８が、上部に音響電飾装置２９が装着されている。サイド装飾装置２７は、ランプ基板が内部に配置され且つ合成樹脂材によって形成されたサイド装飾体３３を主体として構成されている。サイド装飾体３３には、横方向に長いスリット状の開口孔が上下方向に複数配列されており、この開口孔には、ランプ基板に配置された光源に対応するレンズ３４が組み込まれている。音響電飾装置２９は、透明カバー体３５、中高音用スピーカ３６、スピーカカバー３７、及び図示しないリフレクタ体等を備え、これらの構成部材が相互に組み付けられてユニット化されている。
【００２５】
次に、パチンコ機１の裏面構成について説明する。図４はパチンコ機を示す背面図であり、図５はパチンコ機を示す背面斜視図であり、図６は本体枠に各種部材が組み付けられた状態を示す斜視図である。
【００２６】
パチンコ機１の背面は、図４〜図６に示すように、本体枠３の機構装着枠１０の上側には、上述した球タンク３９が装着されている。この球タンク３９から払出装置４０に向けて遊技球が転動するよう傾斜した状態（図４中、右下がりの勾配を持たせた状態）で球タンク３９の下方にタンクレール４１が装着されている。払出装置４０は機構装着枠１０の片側寄り（図４中、右側）に装着されている。
【００２７】
タンクレール４１の下方には、遊技盤４に取り付けられたセンター役物装置及び主制御基板ボックス１０３等が突出している。このため、球タンク３９から落下した遊技球による損傷又は電気的な短絡が生じないよう後カバー体４２が設けられている。この後カバー体４２は、半透明の合成樹脂材により方形状に形成され、図示しないカバーヒンジ機構により開閉及び着脱可能に機構装着枠１０に装着されている。後カバー体４２は、センター役物装置及び主制御基板ボックス１０３の上側を覆いかぶさるようになっており、主制御基板ボックス１０３の上側を除いて、主制御基板ボックス１０３は後カバー体４２に覆われることなく露出されている。主制御基板ボックス１０３の下側には、主制御基板１０２に取り付けられた検査用コネクタ１０４が露出されており、後カバー体４２が閉状態でも検査用コネクタ１０４に図示しない基板検査装置のコネクタを差し込むことができ、主制御基板１０２の検査を行うことができるようになっている。
【００２８】
遊技盤装着枠９の下方には、前枠体８の後下側領域の片側（図４中、左側）には上述した発射レール１５に導かれた遊技球を発射するための図示しない発射ハンマーと、その発射ハンマーを作動する発射モータ４３と、を備えた発射装置４４が装着されている。前枠体８の後下側領域の中央には払出装置４０を制御する払出制御基板１０５が収納された払出制御基板ボックス１０６が装着されている。前枠体８の後下側領域の他側（図４中、右側）には図示しない球貸機と払出制御基板１０５とを電気的に接続するインターフェース基板１０７が収納されたインターフェース基板ボックス１０８が装着されている。この球貸機は、パチンコ機１に隣接して設置されており、インターフェース基板１０７を介して、払出制御基板１０５との間で、球貸に関する信号を送受信する。
【００２９】
なお、払出装置４０の上方には、遊技場に設置されたホールコンピュータにパチンコ機１の遊技情報を送受信するため外部端子板４３が機構装着枠１０に装着されている。この外部端子板４３には、各種配線を接続するためのコネクタが複数設けられており、これらのコネクタにはパチンコ機１の遊技情報の種類に応じた色が付されている。この遊技情報はパネル側情報と枠側情報とから構成されており、パネル側情報には、始動口、時短中、図柄確定２（特図確定）、図柄確定（普図確定）、大当り２（確変大当り）及び大当り１（通常大当り）等がある。一方、枠側情報には、賞球、内枠開放及び扉開放等がある。これらの遊技情報と色との組み合わせとしては、例えば、パネル側情報では、始動口が桃色、時短中が緑色、図柄確定２が水色、図柄確定１が青色、大当り２が赤色、そして大当り１が黄色にそれぞれ設定され、一方、枠側情報では、賞球が茶色、内枠開放が薄黄色、そして扉開放が灰色にそれぞれ設定されている。これらの組み合わせは、図示しない外部端子板シールに印刷されている。この外部端子板シールは横長四角形状を有しており、その１隅には面取りが施されている。外部端子板シールは、この面取りされた方を上側となるよう、後述するように、液晶制御基板ボックス１１２の正面に貼り付けられる。なお、遊技情報の種類についての説明は省略する。
［２．液晶モジュール］
【００３０】
次に、センター役物装置の後側（最後部）に取り付けられる液晶モジュールについて説明する。図７は液晶モジュールの斜視図である。図７（ａ）は液晶モジュール１０９の基本姿勢を示し、図７（ｂ）は基本姿勢を上下逆にした上下逆姿勢を示す。
【００３１】
液晶モジュール１０９は、図７（ａ），（ｂ）に示すように、さまざまな画像を表示する液晶表示器１１０と、この液晶表示器１１０の表示制御を行う液晶制御基板１１１が収納された液晶制御基板ボックス１１２と、液晶表示器１１０に内蔵されたバックライトの点燈用回路基板であるインバータ回路基板１１３が収納されたインバータ回路基板ボックス１１４と、がモジュール化されている。
【００３２】
液晶表示器１１０及び液晶制御基板ボックス１１２は横長四角形状を有しており、一方インバータ回路基板ボックス１１４は縦長四角形状を有している。液晶制御基板ボックス１１２及びインバータ回路基板ボックス１１４の大きさは、本実施形態では、液晶制御基板ボックス１１２の上辺１１２ａの長さと、インバータ回路基板ボックス１１４の上辺１１４ａの長さと、を合わせた長さが液晶表示器１１０の上辺１１０ａの長さと等しくなるように構成され、液晶制御基板ボックス１１２の側辺１１２ｂの長さと、インバータ回路基板ボックス１１４の側辺１１４ｂの長さと、が等しくなるように構成され、側辺１１２ｂ，１１４ｂの長さが液晶表示器１１０の側辺１１０ｂの長さより約６分の１小さくなるように構成されている。なお、本実施形態では、液晶表示器１１０の大きさとして１２インチを用いている。
【００３３】
液晶モジュール１０９は、図７（ａ）に示すように、液晶制御基板ボックス１１２の上辺１１２ａと、インバータ回路基板ボックス１１４の上辺１１４ａと、が液晶表示器１１０の上辺１１０ａと一致するように液晶表示器１１０の裏面に取り付けられている。このため、液晶表示器１１０の裏面の下側には、空き領域Ａが設けられている。この空き領域Ａの大きさは、液晶表示器１１０の側辺１１０ｂの長さの約６分の１となる。
【００３４】
液晶制御基板１１１は、ＣＰＵ及びＶＤＰ（Ｖｉｄｅｏ  Ｄｉｓｐｌａｙ  Ｐｒｏｃｅｓｓｏｒ）等が搭載されている。液晶モジュール１０９を、図７（ｂ）に示す上下逆姿勢にしてセンター役物装置の後側（最後部）に取り付けたときには、液晶表示器１１０の画面には、図７（ａ）に示した基本姿勢時に表示される画像と、上下左右反転した画像となる。これを回避するために、ＣＰＵは、電源投入時にＶＤＰに対して座標変換設定を行うことにより、液晶モジュール１０９を上下逆姿勢にしても上下左右反転しない画像に表示制御し、基本姿勢時に表示される画像と同一の画像にする。このように、液晶モジュール１０９の姿勢を基本姿勢から上下逆姿勢にしても、基本姿勢時に表示する画像データを予め作成しておけば、ＣＰＵによるＶＤＰへの座標変換設定により、上下逆姿勢時でも上下左右反転しない画像を表示することができる。このため、上下逆姿勢時の画像データを予め作成する必要がなくなる。なお、座標変換設定は、プログラム中に設定情報の設定処理を予め設けてもよいし、ＣＰＵが外部スイッチの状態を読み込み判定して座標変換設定を行うようにしもよい。
【００３５】
液晶制御基板ボックス１１２の正面には、上述したように、遊技情報と色との組み合わせが印刷された外部端子板シールが貼り付けられる。この外部端子板シールの貼り付け位置は、図７（ａ）に示すように、液晶制御基板ボックス１１２の正面右上側寄りに外端板シール貼付部１１２ｃが設けられ、液晶制御基板ボックス１１２の正面左下側寄り（外端板シール貼付部１１２ｃの対角線上）に外端板シール貼付部１１２ｃ’が設けられている。液晶モジュール１０９が基本姿勢時では外部端子板シールが外端板シール貼付部１１２ｃに貼り付けられ、一方、液晶モジュール１０９が上下逆姿勢時では外部端子板シールが外端板シール貼付部１１２ｃ’に貼り付けられる。これにより、基本姿勢時又は上下逆姿勢時でも、上述した外部端子板４２にできるだけ近い位置で外部端子板シールを貼り付けることができる。なお、外端板シール貼付部１１２ｃ，１１２ｃ’は、横長四角形状を有しており、基本姿勢時又は上下逆姿勢時でも、外部端子板シールが上側となるよう、外端板シール貼付部１１２ｃ，１１２ｃ’の１隅に面取り１１２ｄ，１１２ｄ’がそれぞれ施されている。作業者は、外端板シール貼付部１１２ｃ，１１２ｃ’を目安として、見栄えよく容易に外部端子板シールを貼り付けることができる。また、上述した後カバー体４２が半透明の合成樹脂材により形成されているため、外部端子板シールを、後カバー体４２を介して、視認することができ、外部端子板４３に正しく配線が接続されているか確認することができる。
［３．遊技盤の構成］
【００３６】
次に、遊技盤の構成について説明する。まず、上述した液晶モジュール１０９を、センター役物装置の後側（最後部）に基本姿勢にして取り付ける場合について説明し、続けて上下逆姿勢にして取り付ける場合について説明する。図８は基本姿勢時における遊技盤の概略構成図であり、図９は基本姿勢時におけるパチンコ機の背面図であり、図１０は基本姿勢時におけるパチンコ機の概略側面図であり、図１１は上下逆姿勢時における遊技盤の概略構成図であり、図１２は上下逆姿勢時におけるパチンコ機の背面図であり、図１３は上下逆姿勢時におけるパチンコ機の概略側面図である。
［３−１．基本姿勢時］
【００３７】
遊技盤４は、図８に示すように、略円形の開口５０を有し、この開口５０内に遊技球を案内する、上述した案内レール１１が設けられた前構成部材５１と、この前構成部材５１が前面側に装着され、適宜形状の貫通口５２を複数有した板状の遊技盤本体５３と、この貫通口５２を覆うように遊技盤本体５３に装着されるセンター役物装置５４、入賞口ユニット５５及び遊技領域内装飾体５６と、入賞口ユニット５５に流入した遊技球を排出誘導する、遊技盤本体５３の裏面に装着される排出誘導部材５７と、を備えており、遊技盤本体５３の裏面の下側には、上述したボックス装着台３８が設けられている。このボックス装着台３８には、上述したように、サブ統合基板ボックス１０１が装着され、そのサブ統合基板ボックス１０１の後部に重ね合わされた状態で、主制御基板ボックス１０３が装着されている。なお、前構成部材５２が遊技盤本体５３に装着されることにより、案内レール１１の内側に遊技領域１２が区画形成される。
【００３８】
センター役物装置５４は、前装飾体５８、後装飾体５９及び液晶モジュール１０９から構成されており、前装飾体５８は貫通口５２を覆うように遊技盤本体５３の前面側に装着され、後装飾体５９は技盤本体５３の後面側（裏面）に前装飾体５８と対応して装着され、液晶モジュール１０９は後装飾体５９の後側に取り付けられる。つまり液晶モジュール１０９は、センター役物装置５４の後側（最後部）に取り付けられる。なお、センター役物装置５４は、遊技領域１２の中央に配置されている。
【００３９】
前装飾体５８には、遊技球を一時的に滞留して左右に揺れ動くステージと、きらびやかに点灯又は階調点灯するランプ等が設けられており、後装飾体５９には、これらのランプに加えて、液晶表示器１１０の画面に表示される演出に合わせて可動する可動体６０，６１が設けられており、これらの可動体６０，６１の可動により、前装飾体５８に流入した遊技球の進行を妨げないよう、可動体の可動領域が設けられている。また、後装飾体５９には、可動体６０，６１を可動する駆動装置も取り付けられているため、後装飾体５９の奥行きが大きくなっている。後装飾体５９の後側には、液晶モジュール１０９が図７（ａ）に示した基本姿勢にして取り付けられている。
【００４０】
遊技盤４が本体枠３の遊技盤装着枠９に装着されると、図９及び図１０に示すように、液晶モジュール１０９の上辺、つまり液晶表示器１１０の上辺（液晶制御基板ボックス１１２の上辺、インバータ回路基板ボックス１１４の上辺）がタンクレール４１と干渉せず、タンクレール４１の下方に配置される。液晶表示器１１０の裏面の下側に設けられた空き領域Ａは、主制御基板ボックス１０３の上部が収まることにより、主制御基板ボックス１０３との干渉を回避することができる。このように、センター役物装置５４が遊技領域１２の中央に配置されるときには、液晶モジュール１０９の上辺がタンクレール４１と干渉しないため、液晶モジュール１０９を基本姿勢にしてセンター役物装置５４の後側（最後部）に取り付けることができる。
［３−２．上下逆姿勢時］
【００４１】
次に、液晶モジュール１０９を、センター役物装置の後側（最後部）に上下逆姿勢にして取り付ける場合について説明する。
【００４２】
遊技盤４’は、図１１に示すように、略円形の開口５０’を有し、この開口５０’内に技球を案内する、上述した案内レール１１’が設けられた前構成部材５１’と、この前構成部材５１’が前面側に装着され、適宜形状の貫通口５２‘を複数有した板状の遊技盤本体５３’と、この貫通口５２’を覆うように遊技盤本体５３’に装着されるセンター役物装置５４’、入賞口ユニット５５’及び遊技領域内装飾体５６’と、を備えており、遊技盤本体５３’の裏面の下側には、上述したボックス装着台３８’が設けられている。このボックス装着台３８’には、上述したように、サブ統合基板ボックス１０１’が装着され、そのサブ統合基板ボックス１０１’の後部に重ね合わされた状態で、主制御基板ボックス１０３’が装着されている。なお、前構成部材５１’が遊技盤本体５３’に装着されることにより、案内レール１１’の内側に遊技領域１２’が区画形成される。
【００４３】
センター役物装置５４’は、前装飾体５８’、後装飾体５９’及び液晶モジュール１０９から構成されており、前装飾体５８’は貫通口５２’を覆うように遊技盤本体５３’の前面側に装着され、後装飾体５９’は技盤本体５３’の後面側（裏面）に前装飾体５８’と対応して装着され、液晶モジュール１０９は後装飾体５９’の後側に取り付けられる。つまり液晶モジュール１０９は、センター役物装置５４’の後側（最後部）に取り付けられる。なお、センター役物装置５４は、遊技領域１２の中央上側寄りに配置されている。また、入賞口ユニット５５’に流入した遊技球は、後装飾体５９’の下側に設けられた排出誘導部により排出誘導される。
【００４４】
前装飾体５８’には、遊技球を一時的に滞留して左右に揺れ動くステージと、きらびやかに点灯又は階調点灯するランプ等が設けられており、後装飾体５９’には、これらのランプに加えて、液晶表示器１１０の画面に表示される演出に合わせて可動する可動体６０’が設けられており、この可動体６０’の可動により、前装飾体５８’に流入した遊技球の進行を妨げないよう、可動体の可動領域が設けられている。また、後装飾体５９’には、可動体６０’を可動する駆動装置も取り付けられているため、後装飾体５９’の奥行きが大きくなっている。後装飾体５９’の後側には、液晶モジュール１０９が図７（ｂ）に示した上下逆姿勢にして取り付けられている。
【００４５】
遊技盤４’が本体枠３の遊技盤装着枠９に装着されると、図１２及び図１３に示すように、液晶モジュール１０９を上下逆姿勢にすることで、液晶表示器１１０の裏面の下側に設けられた空き領域Ａが上側となり、この空き領域Ａにタンクレール４１が収まることにより、タンクレール４１との干渉を回避することができる。また、主制御基板ボックス１０３’の上部との干渉も生じない。このように、センター役物装置５４’が遊技領域１２’の中央上側寄りに配置されるときには、液晶モジュール１０９を上下逆姿勢にしてセンター役物装置５４の後側（最後部）に取り付けることによりタンクレール４１との干渉を回避することができる。
【００４６】
空き領域Ａが設けられた液晶モジュール１０９を用いることにより、センター役物装置を遊技領域の中央又は中央上側寄りに配置しても、タンクレール４１との干渉を回避することができ、遊技盤をパチンコ機１（遊技盤装着枠９）に装着することができる。
【００４７】
以上説明した本実施形態のパチンコ機１によれば、遊技盤装着枠９と、この遊技盤装着枠９の後側に一体成形された機構装着枠１０と、から構成される本体枠３を備えている。遊技盤装着枠９は、遊技盤４（４’）が着脱交換可能に装着され、その遊技盤４（４’）には、区画形成された遊技領域１２（１２’）の中央又は中央上側寄りにセンター役物装置５４（５４’）が設けられ、このセンター役物装置５４（５４’）の後側（最後部）に液晶モジュール１０９が取り付けられている。機構装着枠１０は、上側に球タンク３９が装着され、この球タンク３９から払出装置４０に向けて遊技球が転動するよう傾斜した状態で球タンク３９の下方にタンクレール４１が装着されている。
【００４８】
液晶モジュール１０９は、画像を表示する横長四角形状の液晶表示器１１０と、この液晶表示器１１０の表示制御を行う液晶制御基板１１１が収納された横長四角形状の液晶制御基板ボックス１１２と、から構成されており、この液晶制御基板ボックス１１２の側辺１１２ｂの長さが液晶表示器１１０の側辺１１０ｂの長さより約６分の１小さく構成されている。液晶モジュール１０９には、液晶表示器１１０の上辺１１０ａと、液晶制御基板ボックス１１２の上辺１１２ａと、が一致するように液晶制御基板ボックス１１２を液晶表示器１１０の裏面に取り付けることにより、その裏面の下側に空き領域Ａが設けられている。
【００４９】
遊技盤４（４’）を遊技盤装着枠９に装着する際に、液晶制御基板ボックス１１２の上辺１１２ａがタンクレール４１と干渉するときには、液晶モジュール１０９を上下逆姿勢にしてセンター役物装置５４’に取り付けることにより、タンクレール４１が空き領域Ａに収まる。一方、液晶制御基板ボックス１１２の上辺１１２ａがタンクレール４１と干渉しないときには、液晶モジュール１０９を基本姿勢にしてセンター役物装置５４に取り付ける。このように、センター役物装置５４（５４’）の後側（最後部）に取り付けられる液晶モジュール１０９とタンクレール４１との干渉を避け、遊技盤４（４’）を装着することができる。
［４．別例］
【００５０】
なお、本発明は上述した実施形態に何ら限定されるものではなく、本発明の技術的範囲に属する限り種々の態様で実施し得ることはいうまでもない。
【００５１】
例えば、上述した実施形態では、パチンコ機１を例にとって説明したが、本発明が適用できる遊技機はパチンコ機に限定されるものではなく、パチンコ機以外の遊技機、例えばスロットマシン又はパチンコ機とスロットマシンとを融合させた融合遊技機（遊技玉を用いてスロット遊技を行うもの。）などにも適用することができる。
【図面の簡単な説明】
【００５２】
【図１】パチンコ機を示す正面図である。
【図２】本体枠及び前面枠を開放した状態のパチンコ機を示す斜視図である。
【図３】本体枠と遊技盤とを分離した状態を示す斜視図である。
【図４】パチンコ機を示す背面図である。
【図５】パチンコ機を示す背面斜視図である。
【図６】本体枠に各種部材が組み付けられた状態を示す斜視図である。
【図７】液晶モジュールの斜視図である。
【図８】基本姿勢時における遊技盤の概略構成図である。
【図９】基本姿勢時におけるパチンコ機の背面図である。
【図１０】基本姿勢時におけるパチンコ機の概略側面図である。
【図１１】上下逆姿勢時における遊技盤の概略構成図である。
【図１２】上下逆姿勢時におけるパチンコ機の背面図である。
【図１３】上下逆姿勢時におけるパチンコ機の概略側面図である。
【符号の説明】
【００５３】
１…パチンコ機（パチンコ機）、３…本体枠（本体枠）４，４’…遊技盤（遊技盤）、１２，１２’…遊技領域（遊技領域）、９…遊技盤装着枠（遊技盤装着枠部）、１０…機構装着枠（機構装着枠部）、３９…球タンク（球タンク）、４１…タンクレール（タンクレール）、１０９…液晶モジュール（液晶モジュール）、１１０…液晶表示器（液晶表示器）、１１０ａ…液晶表示器１１０の上辺（液晶表示器の上辺）、１１１…液晶制御基板（液晶制御基板）、１１２…液晶制御基板ボックス（基板ボックス）、１１２ａ…液晶制御基板ボックス１１２の上辺（基板ボックスの上辺）、５４，５４’…センター役物装置、Ａ…空き領域（空き領域）。
【図１】
2007175145.tif 000003
【図２】
2007175145.tif 000004
【図３】
2007175145.tif 000005
【図４】
2007175145.tif 000006
【図５】
2007175145.tif 000007
【図６】
2007175145.tif 000008
【図７】
2007175145.tif 000009
【図８】
2007175145.tif 000010
【図９】
2007175145.tif 000011
【図１０】
2007175145.tif 000012
【図１１】
2007175145.tif 000013
【図１２】
2007175145.tif 000014
【図１３】
2007175145.tif 000015